(57)【要約】【課題】安定して設置することが可能な防煙垂れ壁を提供すること。【解決手段】防煙垂れ壁１は、第１シート１０と、第１シート１０の上縁部を保持する第１上レール３０と、第１シート１０の面方向に沿う方向の一対の縁部の一方を保持する固定側縁部保持部５０と、第１シート１０の面方向に沿う方向の一対の縁部の他方を保持する第１可動側縁部保持部１４０とを備え、第１シート１０及び第１上レール３０を、天井材５に固定された複数の支持部６のうちの対象支持部６ａに略沿って平面視において重なる位置に配置し、固定側縁部保持部５０の外側天板部を対象支持部６ａの下方に配置すると共に、当該外側天板部を固定側縁部保持部５０の連結手段を介して対象支持部６ａと連結させ、第１可動側縁部保持部１４０の外側天板部を対象支持部６ａの下方に配置すると共に、当該外側天板部を第１可動側縁部保持部１４０の連結手段を介して対象支持部６ａと連結させた。【選択図】図１
2018011803.tif 000002
【特許請求の範囲】
【請求項１】
天井の下方に防煙区画を形成するための防煙垂れ壁であって、
前記防煙区画を形成する第１シートであり、前記天井の下面に対して垂下するように設けられた第１シートと、
前記第１シートの上縁部を保持する上縁保持手段であり、前記天井の下面に固定された上縁保持手段と、
前記第１シートにおける垂下方向に対して直交する方向であり当該第１シートの面方向に沿う方向の一対の縁部の一方を保持する一方側縁部保持手段と、
前記第１シートにおける垂下方向に対して直交する方向であり当該第１シートの面方向に沿う方向の一対の縁部の他方を保持する他方側縁部保持手段と、を備え、
前記一方側縁部保持手段及び前記他方側縁部保持手段の各々は、
前記第１シートを取り付けるための第１保持本体と、
前記第１保持本体を支持するための第１支持手段と、
前記第１支持手段を前記天井の下面に固定するための固定手段と、
前記固定手段と前記天井又は前記上縁保持手段とを連結するための連結手段と、を備え、
前記第１シート及び前記上縁保持手段を、前記天井を構成する水平面材を支持するための長尺状の複数の支持部であり、前記水平面材に固定され、且つ前記水平面材に沿って相互に間隔を隔てて並設された複数の支持部のうち、支持対象とすべき対象支持部に略沿って平面視において重なる位置に配置し、
前記一方側縁部保持手段の前記固定手段を前記対象支持部の下方に配置すると共に、当該固定手段を前記一方側縁部保持手段の前記連結手段を介して前記対象支持部と連結させ、
前記他方側縁部保持手段の前記固定手段を前記対象支持部の下方に配置すると共に、当該固定手段を前記他方側縁部保持手段の前記連結手段を介して前記対象支持部と連結させた、
防煙垂れ壁。
【請求項２】
前記一方側縁部保持手段又は前記他方側縁部保持手段は、
前記防煙区画を形成する第２シートであり、前記天井の下面に対して垂下するように設けられ、且つ前記第１シートに隣接する第２シートを取り付けるための第２保持本体と、
当該一方側縁部保持手段の前記固定手段又は当該他方側縁部保持手段の前記固定手段に取り付けられた第２支持手段であって、前記第２保持本体を支持するための第２支持手段と、を備えた、
請求項１に記載の防煙垂れ壁。
【請求項３】
前記第２シートを前記対象支持部の軸線に直交する水平線に略沿うように設け、前記第２支持手段を前記水平線に沿うように配置した、
請求項２に記載の防煙垂れ壁。
【発明の詳細な説明】
【技術分野】
【０００１】
本発明は、防煙垂れ壁に関する。
【背景技術】
【０００２】
従来、オフィスビルやショッピングモール等には、建築基準法により定められる面積毎の防煙区画を形成するために、天井に防煙垂れ壁が設けられている。この防煙垂れ壁は、通常、ユーザの視界を遮る事の無い様にガラス板を用いて形成されていた（例えば、特許文献１参照）。しかし、このようなガラス製の防煙垂れ壁は、地震によってガラス板が割れて飛散する可能性があり、安全性の向上が要望されていた。
【０００３】
そこで、ガラス板の代わりに樹脂製のシートを用いた防煙垂れ壁が提案されている（例えば、特許文献２参照）。このような防煙垂れ壁は、概略的に、天井（具体的には、天井ボード）に取り付けられた上レールであり、シートの上縁を保持するための上レールと、天井ボードに取り付けられた縁部保持部であり、シートの両端を保持する一対の縁部保持部とを備えて構成されており、これら一対の縁部保持部によってシートに張力が付与されていることにより、しわのない状態でシートが張られている。このようなシート製の防煙垂れ壁によれば、ガラス製の防煙垂れ壁とは異なり割れて飛散することがないため、安全性の高い防煙垂れ壁を構成することが可能である。
【先行技術文献】
【特許文献】
【０００４】
【特許文献１】特開平１０−６６７３７号公報
【特許文献２】特開２０１５−１９８９３４号公報
【発明の概要】
【発明が解決しようとする課題】
【０００５】
しかしながら、上記シート製の防煙垂れ壁においては、一対の縁部保持部は、単にネジを介して天井ボードと連結されているものに過ぎなかったので、天井ボードの強度が比較的低いことからすると、一対の縁部保持部を安定して設置することが難しくなるため、防煙垂れ壁の設置性の観点から改善の余地があった。
【０００６】
本発明は、上記従来技術における課題を解決するためのものであって、安定して設置することが可能な防煙垂れ壁を提供することを目的とする。
【課題を解決するための手段】
【０００７】
上述した課題を解決し、目的を達成するために、請求項１に記載の防煙垂れ壁は、天井の下方に防煙区画を形成するための防煙垂れ壁であって、前記防煙区画を形成する第１シートであり、前記天井の下面に対して垂下するように設けられた第１シートと、前記第１シートの上縁部を保持する上縁保持手段であり、前記天井の下面に固定された上縁保持手段と、前記第１シートにおける垂下方向に対して直交する方向であり当該第１シートの面方向に沿う方向の一対の縁部の一方を保持する一方側縁部保持手段と、前記第１シートにおける垂下方向に対して直交する方向であり当該第１シートの面方向に沿う方向の一対の縁部の他方を保持する他方側縁部保持手段と、を備え、前記一方側縁部保持手段及び前記他方側縁部保持手段の各々は、前記第１シートを取り付けるための第１保持本体と、前記第１保持本体を支持するための第１支持手段と、前記第１支持手段を前記天井の下面に固定するための固定手段と、前記固定手段と前記天井又は前記上縁保持手段とを連結するための連結手段と、を備え、前記第１シート及び前記上縁保持手段を、前記天井を構成する水平面材を支持するための長尺状の複数の支持部であり、前記水平面材に固定され、且つ前記水平面材に沿って相互に間隔を隔てて並設された複数の支持部のうち、支持対象とすべき対象支持部に略沿って平面視において重なる位置に配置し、前記一方側縁部保持手段の前記固定手段を前記対象支持部の下方に配置すると共に、当該固定手段を前記一方側縁部保持手段の前記連結手段を介して前記対象支持部と連結させ、前記他方側縁部保持手段の前記固定手段を前記対象支持部の下方に配置すると共に、当該固定手段を前記他方側縁部保持手段の前記連結手段を介して前記対象支持部と連結させた。
【０００８】
また、請求項２に記載の防煙垂れ壁は、請求項１に記載の防煙垂れ壁において、前記一方側縁部保持手段又は前記他方側縁部保持手段は、前記防煙区画を形成する第２シートであり、前記天井の下面に対して垂下するように設けられ、且つ前記第１シートに隣接する第２シートを取り付けるための第２保持本体と、当該一方側縁部保持手段の前記固定手段又は当該他方側縁部保持手段の前記固定手段に取り付けられた第２支持手段であって、前記第２保持本体を支持するための第２支持手段と、を備えた。
【０００９】
また、請求項３に記載の防煙垂れ壁は、請求項２に記載の防煙垂れ壁において、前記第２シートを前記対象支持部の軸線に直交する水平線に略沿うように設け、前記第２支持手段を前記水平線に沿うように配置した。
【発明の効果】
【００１０】
請求項１に記載の防煙垂れ壁によれば、第１シート及び上縁保持手段を対象支持部に略沿って平面視において重なる位置に配置し、一方側縁部保持手段の固定手段を対象支持部の下方に配置すると共に、当該固定手段を一方側縁部保持手段の連結手段を介して対象支持部と連結させ、他方側縁部保持手段の固定手段を対象支持部の下方に配置すると共に、当該固定手段を他方側縁部保持手段の連結手段を介して対象支持部と連結させたので、天井に複数の支持部が並設されている場合において、一方側縁部保持手段及び他方側縁部保持手段の各々を対象支持部と連結させることができるので、一方側縁部保持手段及び他方側縁部保持手段を天井に対して強固に固定することができる。これにより、一方側縁部保持手段及び他方側縁部保持手段の揺れを抑制できることから、防煙垂れ壁を安定して設置することが可能となる。
【００１１】
また、請求項２に記載の防煙垂れ壁によれば、一方側縁部保持手段又は他方側縁部保持手段は、第２シートを取り付けるための第２保持本体と、当該一方側縁部保持手段の固定手段又は当該他方側縁部保持手段の固定手段に取り付けられた第２支持手段であって、第２保持本体を支持するための第２支持手段と、を備えたので、第１シート及び第２シートを取り付ける場合に、一方側縁部保持手段又は他方側縁部保持手段を第１シート及び第２シートの縁部保持手段として兼用することができる。よって、防煙垂れ壁の設置作業の手間を省くことができるので、防煙垂れ壁の設置性を向上させることが可能となる。
【００１２】
また、請求項３に記載の防煙垂れ壁によれば、第２シートを対象支持部の軸線に直交する水平線に略沿うように設け、第２支持手段を水平線に沿うように配置したので、また、第２シートが第１シートと直交するように設置される場合に、第２保持本体及び第２支持手段を備える一方側縁部保持手段又は他方側縁部保持手段に第２シートを容易且つ迅速に取り付けることができ、防煙垂れ壁の設置性を一層向上させることができる。
【図面の簡単な説明】
【００１３】
【図１】本発明の実施の形態に係る防煙垂れ壁を下方から見た図である。
【図２】図１の防煙垂れ壁における第１シート周辺を示す側面図である。
【図３】図１の防煙垂れ壁における第２シート周辺を示す側面図である。
【図４】図２のＡ−Ａ矢視拡大断面図である。
【図５】図２のＢ−Ｂ矢視拡大断面図である。
【図６】図２の防煙垂れ壁における固定側縁部保持部周辺を示す拡大図である。
【図７】固定側縁部保持部を示す斜視図である。
【図８】固定側縁部保持部を示す図であり、（ａ）は平面図、（ｂ）は正面図、（ｃ）は右側面図、（ｄ）は（ｂ）のＣ−Ｃ矢視断面図である。
【図９】固定側縁部保持部のレール軸部を示す図であり、（ａ）は平面図、（ｂ）は正面図、（ｃ）は右側面図である。
【図１０】固定側縁部保持部の外側天板部を示す図であり、（ａ）は平面図、（ｂ）は左側面図、（ｃ）は背面図である。
【図１１】固定側縁部保持部の第１内側天板部を示す図であり、（ａ）は平面図、（ｂ）背面図である。
【図１２】固定側縁部保持部の保持本体を示す図であり、（ａ）は平面図、（ｂ）は正面図、（ｃ）は右側面図である。
【図１３】固定側縁部保持部の第１押圧部を示す図であり、（ａ）は平面図、（ｂ）は右側面図である。
【図１４】固定側カバーを示す図であり、（ａ）は平面図、（ｂ）は正面図である。
【図１５】図２の防煙垂れ壁における第１可動側縁部保持部周辺を示す拡大図である。
【図１６】第１可動側縁部保持部を示す斜視図である。
【図１７】第１可動側縁部保持部を示す図であり、（ａ）は右側面、（ｂ）は（ａ）のＤ−Ｄ矢視拡大断面図である（一部図示省略）。
【図１８】第１可動側縁部保持部の可動側保持本体に対してシートを固定した状態を示す図であり、図１７（ｂ）に対応する領域を示す図である。
【図１９】第１可動側カバーを示す図であって、（ａ）は右側面図、（ｂ）は正面図、（ｃ）は背面図、（ｄ）は平面図、（ｅ）は底面図である。
【発明を実施するための形態】
【００１４】
以下に添付図面を参照して、この発明に係る防煙垂れ壁の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１５】
〔Ｉ〕実施の形態の基本的概念
まず、実施の形態の基本的概念について説明する。実施の形態は、概略的に、建物の天井の下方に防煙区画を形成するための防煙垂れ壁に関するものである。
【００１６】
ここで、「建物」とは、その具体的な構造や種類は任意であるが、例えば、オフィスビル、商業施設、公共施設、及びアパートやマンションの如き集合住宅等を含む概念である。また、「防煙区画」とは、火災発生時等における煙の蔓延を防止するための区画を意味し、例えば、建築基準法（又は他の法律）により所定の床面積（例えば５００平方メートル）毎に設置することが定められた区画等を含む概念である。また、「防煙垂れ壁」とは、防煙区画を形成するための構造体であり、例えば、樹脂製のシートを用いた防煙垂れ壁等を含む概念である。以下、実施の形態では、防煙垂れ壁が、商業施設の如き建物内の所定の部屋の天井に設けられた防煙垂れ壁である場合について説明する。
【００１７】
〔ＩＩ〕実施の形態の具体的内容
次に、実施の形態の具体的内容について説明する。
【００１８】
（構成）
最初に、実施の形態に係る防煙垂れ壁の構成について説明する。以下の説明では、図１のＸ方向を防煙垂れ壁の左右方向（−Ｘ方向を防煙垂れ壁の左方向、＋Ｘ方向を防煙垂れ壁の右方向）、図１のＹ方向を防煙垂れ壁の前後方向（＋Ｙ方向を防煙垂れ壁の前方向（部屋の室外側の方向）、−Ｙ方向を防煙垂れ壁の後方向（部屋の室内側の方向））、図２のＺ方向を防煙垂れ壁の上下方向（＋Ｚ方向を防煙垂れ壁の上方向、−Ｚ方向を防煙垂れ壁の下方向）と称する。また、図１に示すように、この防煙垂れ壁が設置されている天井２は、天井材５（水平面材）と、支持部６とを備えている。天井材５は、天井２を構成する基本構造体であり、例えば公知の天井ボード等を用いて構成されており、防煙垂れ壁よりも上方において当該天井材５が略水平となるように設置されている。支持部６は、天井材５を支持するためのものであり、例えば、鋼製の長尺な棒状体にて形成されており、天井材５の上面上（すなわち、天井材５の裏面上）において天井材５に沿って相互に間隔を隔てて複数並設配置されている（図１では、支持部６の並設方向が左右方向となるように複数配置されている）。ここで、この間隔の幅については、実施の形態では、支持部６の幅よりも大きく設定されている。そして、この支持部６は、天井２よりも上方に位置する図示しない梁材に対して吊り具等によって接続されていると共に、天井材５に対して図示しない固定具等によって接続されている。なお、以下では、部屋の壁部４のうち、後述する第１可動側縁部保持部１４０側（図１の前方側）に位置する壁部４ａを「第１可動側壁部４ａ」と称し、後述する第２可動側縁部保持部１６０側（図１の右方側）に位置する壁部４ｂを「第２可動側壁部４ｂ」と称する。また、天井２の部分のうち、第１可動側壁部４ａ及び第２可動側壁部４ｂから離間した部分であり、後述する固定側縁部保持部５０が設置される部分２ａを「固定側部分２ａ」と称する。
【００１９】
図１から図３に示すように、防煙垂れ壁１は、天井２から床３に向けてＸ−Ｚ平面及びＹ−Ｚ平面に沿って垂下するように平面形状が略Ｌ字状に形成されており、防煙垂れ壁１の上端部が部屋の天井２近傍に位置し、後述する第１可動側縁部保持部１４０が第１可動側壁部４ａ近傍に位置し、後述する第２可動側縁部保持部１６０が第２可動側壁部４ｂ近傍に位置し、且つ、固定側部分２ａに位置するように配置されている。この防煙垂れ壁１の上下方向の長さ（高さ）は任意であるが、例えば、煙の蔓延を防止することができ、且つ防煙垂れ壁１の下方に人が通行可能なスペースが形成することができる程度の長さ（一例として、５０ｃｍ程度）に設定されている。
【００２０】
また、図１から図３に示すように、この防煙垂れ壁１は、第１シート１０、第２シート２０、第１上レール３０、第２上レール４０、固定側縁部保持部５０、固定側カバー１３０、第１可動側縁部保持部１４０、第１可動側カバー１５０、第２可動側縁部保持部１６０、及び第２可動側カバー１７０を備えている。また、後述する防煙垂れ壁１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２１】
（構成−第１シート）
第１シート１０は、防煙区画の一部を形成する防煙区画形成手段である。この第１シート１０は、長方形の膜状体に形成されており、具体的には、図２に示すように、長手方向（前後方向）の長さが第１可動側壁部４ａから固定側部分２ａに至る長さより若干短い長さ（又は略同一の長さ）となるように形成され、短手方向（上下方向）の長さが３０ｃｍ〜１００ｃｍ程度の長さとなるように形成されている。また、図２に示すように、この第１シート１０は、第１可動側壁部４ａから固定側部分２ａに至る間において天井材５の下面に対して垂下するように設けられており、第１上レール３０、固定側縁部保持部５０、及び第１可動側縁部保持部１４０によって支持されている。また、第１シート１０の具体的な材質については任意であるが、例えば、火災時において高温の煙等の熱に耐え得ることが可能な材料にて形成されることが望ましく、実施の形態では、不燃性のグラスファイバー材等の不燃性材料を用いて形成されている。なお、以下では、第１シート１０のＹ−Ｚ平面に沿った側面を「第１主側面」と称する。
【００２２】
（構成−第２シート）
第２シート２０は、防煙区画の他の一部を形成する防煙区画形成手段である。この第２シート２０は、第１シート１０と略同一に構成されており、図３に示すように、第２可動側壁部４ｂから固定側部分２ａに至る間において天井材５の下面に対して垂下するように設けられ（すなわち、後述する対象支持部６ａの軸線に直交する水平線に略沿うように設けられ）、第２上レール４０、固定側縁部保持部５０、及び第２可動側縁部保持部１６０によって支持されている。なお、以下では、第２シート２０のＸ−Ｚ平面に沿った側面を「第２主側面」と称する。
【００２３】
（構成−第１上レール）
第１上レール３０は、第１シート１０の上縁部を保持する上縁保持手段である。この第１上レール３０は、アルミニウム材（又は鋼材等）にて形成された長尺状体であり、具体的には、図１、図２に示すように、第１可動側壁部４ａから固定側部分２ａに至る長さより若干短い長さ（又は略同一の長さ）となるように形成されている。また、図１、図２に示すように、この第１上レール３０は、第１可動側壁部４ａから固定側部分２ａに至る間において天井材５の下面と当接するように複数配置されている。
【００２４】
また、図１、図２、図５に示すように、この第１上レール３０は、第１レール部３１及び第２レール部３２を備えている。第１レール部３１は、第１上レール３０における短手方向の一方側の部分（右側部分）を構成する部材である。この第１レール部３１には、第１レール部３１を第２レール部３２に対して取り付けるための図示しない固定具（例えばネジ等）を挿通するための図示しない取付孔（貫通孔）が複数形成されている。第２レール部３２は、第１上レール３０における短手方向の他方側の部分（左側部分）を構成する部材である（なお、実施の形態では、第１レール部３１の下側部分と第２レール部３２の下側部分との相互間に隙間が形成されるように、第２レール部３２が形成されていることで、当該隙間に第１シート１０を介在させることができる）。この第２レール部３２の上側部分には、第１上レール３０を後述する対象支持部６ａに対して取り付けるための固定具３３を挿通するための図示しない取付孔（貫通孔）が複数形成されている。またさらに、第１突出片３２ａが設けられており、この第１突出片３２ａに図示しない第１取付孔（ネジ孔）が形成されていることにより、第１取付孔及び第１レール部３１の取付孔を介して第１レール部３１が第２レール部３２に対して図示しない固定具（例えばネジ等）によって接続されている。また、この第２レール部３２の下側部分には、第２突出片３２ｂが設けられており、この第２突出片３２ｂに図示しない第２取付孔（ネジ孔）が形成されていることにより、第２取付孔を介して第１シート１０が第２レール部３２に対して図示しない固定具（例えばネジ等）によって接続されている。
【００２５】
（構成−第２上レール）
第２上レール４０は、第２シート２０の上縁部を保持する上縁保持手段である。この第２上レール４０は、第１上レール３０と略同一に構成されており、図１、図３に示すように、第２可動側壁部４ｂから固定側部分２ａに至る間において天井材５の下面と当接するように複数配置されており、第１レール部４１及び第２レール部４２をそれぞれ備えている。
【００２６】
ここで、第１上レール３０及び第２上レール４０の固定方法については任意であるが、実施の形態では、図４、図５に示すように、第１上レール３０及び第２上レール４０を、天井２の支持部６に対して固定具３３（例えばドリルビス等）によって固定していることに加えて、第１上レール３０及び第２上レール４０を、図６に示すように、天井材５の下面に設けられた鋼製の取付板３５〜３８に対して固定具３４（例えばテクノビス等）によってさらに固定している。なお、以下では、天井２の支持部６のうち、第１上レール３０が固定される支持部６ａを、支持対象とすべき「対象支持部６ａ」と称して説明する。また、上記後者の固定方法の詳細については、図６に示すように、第１上レール３０を第１取付板３５及び第２取付板３６に対して固定具３４（例えばテクノビス等）によって固定している。また、第２上レール４０を第３取付板３７及び第４取付板３８に対して図示しない固定具（例えばテクノビス等）によって固定している。ここで、第１取付板３５は、図１に示すように、固定側縁部保持部５０に対応する天井２の支持部６（対象支持部６ａ）と平面視において重なる位置に配置され、当該支持部６に対して固定具３９（例えばボードアンカー、皿ネジ等）によって固定されている。また、第２取付板３６は、図１に示すように、第１可動側縁部保持部１４０に対応する天井２の支持部６（対象支持部６ａ）と平面視において重なる位置に配置され、当該支持部６に対して図示しない固定具（例えばボードアンカー、皿ネジ等）によって固定されている。また、第３取付板３７は、図１に示すように、固定側縁部保持部５０に対応する天井２の支持部６（対象支持部６ａ）及び当該支持部６に隣接する支持部６と平面視において重なる位置に配置され、これら支持部６に対して図示しない固定具（例えばボードアンカー、皿ネジ等）によって固定されている。また、第４取付板３８は、図１に示すように、第２可動側縁部保持部１６０に対応する天井２の支持部６及び当該支持部６に隣接する支持部６と平面視において重なる位置に配置され、これら支持部６に対して図示しない固定具（例えばボードアンカー、皿ネジ等）によって固定されている。このような固定方法により、支持部６の長手方向に直交するように設けられた第２上レール４０を支持部６のみに対して固定する場合に比べて、第２上レール４０を強固に固定することができるので、第２上レール４０を安定して設置することが可能となる。
【００２７】
（構成−固定側縁部保持部）
図２に戻り、固定側縁部保持部５０は、第１シート１０における垂下方向に対して直交する方向であり当該第１シート１０の面方向（第１主側面方向）に沿う方向（すなわち、前後方向）の一対の縁部の一方を保持する一方側縁部保持手段であると共に、第２シート２０における垂下方向に対して直交する方向であり当該第２シート２０の面方向（第２主側面方向）に沿う方向（すなわち、左右方向）の一対の縁部の一方を保持する一方側縁部保持手段である。この固定側縁部保持部５０は、例えば鋼材（一例としてスチール材、ステンレス材）等にて形成されており、図６から図８に示すように、固定側部分２ａに設置され、レール軸部６０、外側天板部７０、第１内側天板部８０、第２内側天板部９０、保持本体１００、第１押圧部１１０、及び第２押圧部１２０を備えている。
【００２８】
（構成−固定側縁部保持部−レール軸部）
図７、図８に戻り、レール軸部６０は、保持本体１００を支持するための支持手段であり、図９に示すように、第１レール軸部６１、第２レール軸部６２、及び切欠部６３を備えている。
【００２９】
（構成−固定側縁部保持部−レール軸部−第１レール軸部）
図１に戻り、第１レール軸部６１は、後述する第１保持本体１０１を支持するための第１支持手段である。図１、図９に示すように、第１レール軸部６１は、上記対象支持部６ａの軸線に沿うように設けられており、前後方向に直交する断面による断面形状が略逆Ｕ字状である長尺状体にて形成され、第１上側片６１ａ、第１立ち上げ片６１ｂ、及び第２立ち上げ片６１ｃを備えている。第１上側片６１ａは、第１取付板３５と当接するように位置する側片であり、第１上側片６１ａの長手方向が前後方向に沿うように天井２に対して略水平に配置されている。この第１上側片６１ａには、第１レール軸部６１を第１取付板３５に対して取り付けるための固定具３４（例えばテクノビス等）を挿通するための取付孔６１ｄ（貫通孔）が複数形成されている。第１立ち上げ片６１ｂは、第１上側片６１ａの下方に位置する側片であり、第１上側片６１ａの左端部から下方に向けて張り出すように配置されている。第２立ち上げ片６１ｃは、第１上側片６１ａの下方に位置する側片であり、第１上側片６１ａの右端部から下方に向けて張り出すように配置されている。
【００３０】
（構成−固定側縁部保持部−レール軸部−第２レール軸部）
第２レール軸部６２は、後述する第２保持本体１０２を支持するための第２支持手段である。この第２レール軸部６２は、第１レール軸部６１と略同一に構成されており、図１、図９に示すように、上記対象支持部６ａの軸線に直交する水平線に沿うように設けられており、第２上側片６２ａ、第３立ち上げ片６２ｂ、及び第４立ち上げ片６２ｃを備えている。第２上側片６２ａは、第３取付板３７と当接するように位置する側片であり、第２上側片６２ａの長手方向が左右方向に沿うように天井２に対して略水平に配置されている。また、この第２上側片６２ａには、第２上側片６２ａを第３取付板３７に対して取り付けるための図示しない固定具（例えばテクノビス等）を挿通するための取付孔６２ｄ（貫通孔）が複数形成されている。第３立ち上げ片６２ｂは、第２上側片６２ａの下方に位置する側片であり、第２上側片６２ａの後端部から下方に向けて張り出すように配置されている。第４立ち上げ片６２ｃは、第２上側片６２ａの下方に位置する側片であり、第２上側片６２ａの前端部から下方に向けて張り出すように配置されている。
【００３１】
（構成−固定側縁部保持部−レール軸部−切欠部）
切欠部６３は、固定側縁部保持部５０の組立時において、レール軸部６０から保持本体１００を出し入れ可能にするためのものである。この切欠部６３は、図９に示すように、この第２立ち上げ片６１ｃの後側部分及び第４立ち上げ片６２ｃの左側部分にわたって形成されており、具体的には、切欠部６３の上下方向の長さ（高さ）が第２立ち上げ片６１ｃ（又は第４立ち上げ片６２ｃ）の上下方向の長さ（高さ）と略同一となり、切欠部６３の幅（水平方向の長さ）が保持本体１００の幅と略同一となるように形成されている。
【００３２】
また、このように構成されたレール軸部６０は任意の方法や材質で製造することができ、例えば、レール軸部６０の製造性を高めるために、鋼製の板状体を折り曲げ成形することにより、第１レール軸部６１及び第２レール軸部６２を一体に成形し、この折り曲げ成形の前後のいずれかの時点で、取付孔６１ｄ、６２ｄを孔加工し、且つ切欠部６３を切欠加工することで製造してもよい。
【００３３】
（構成−固定側縁部保持部−外側天板部）
図７、図８に戻り、外側天板部７０は、レール軸部６０（第１レール軸部６１及び第２レール軸部６２）を天井材５の下面に固定するための固定手段であり、図１０に示すように、外側天板部本体７１、第１接続片７２、第２接続片７３、及び第３接続片７４を備えている。
【００３４】
（構成−固定側縁部保持部−外側天板部−外側天板部本体）
外側天板部本体７１は、外側天板部７０の基本構造体である。図１０に示すように、この外側天板部本体７１は、略矩形状の板状体にて形成されており、具体的には、外側天板部本体７１の左右方向及び前後方向の長さ（幅及び奥行き）が、対象支持部６ａの左右方向の長さ（幅）よりも長くなる（又は略同一となる）ように形成されている。また、図１０に示すように、この外側天板部本体７１は、第１取付板３５又は第３取付板３７とレール軸部６０との相互間に配置されており、対象支持部６ａに対して後述する取付孔７１ａ及び第１取付板３５（又は第３取付板３７）を介して固定具７１ｄ（連結手段。例えばネジ等）によって固定（連結）されている。
【００３５】
また、図１０に示すように、外側天板部本体７１には、取付孔７１ａ、第１凹部７１ｂ、及び第２凹部７１ｃが設けられている。取付孔７１ａは、外側天板部本体７１を対象支持部６ａに対して取り付けるための固定具３４を挿通するための貫通孔であり、外側天板部本体７１における対象支持部６ａと対向する部分に複数形成されている。第１凹部７１ｂは、第１上レール３０の設置の際に第１上レール３０が外側天板部７０に干渉することを防止するためのものであり、第１内側天板部８０に対応する部分において、前後方向の内側に向けて突出する凹状に形成されている。第２凹部７１ｃは、第２上レール４０の設置の際に第２上レール４０が外側天板部７０に干渉することを防止するためのものであり、第２内側天板部９０に対応する部分において、左右方向の内側に向けて突出する凹状に形成されている。
【００３６】
（構成−固定側縁部保持部−外側天板部−第１接続片、第２接続片、第３接続片）
第１接続片７２、第２接続片７３、及び第３接続片７４は、固定側カバー１３０を外側天板部７０に接続するための接続手段である。これら第１接続片７２、第２接続片７３、及び第３接続片７４は、略板状体であり、外側天板部本体７１から下方に向けて張り出すように形成されており、具体的には、図１０に示すように、第１接続片７２が外側天板部本体７１の右端部に配置され、第２接続片７３が外側天板部本体７１の後端部に配置され、第３接続片７４が外側天板部本体７１における左端部及び前端部で形成される角部に配置されている。また、これら第１接続片７２、第２接続片７３、及び第３接続片７４の各々には、固定側カバー１３０を各接続片に対して取り付けるための図示しない固定具（例えばネジ等）を接続するための取付孔７５（ネジ孔）が設けられている。
【００３７】
また、レール軸部６０を外側天板部７０に対して取り付ける方法については任意であるが、実施の形態では、レール軸部６０を外側天板部７０に対して強固に接続できるように、第１レール軸部６１の第１上側片６１ａの右端部及び第１立ち上げ片６１ｂ、並びに、第２レール軸部６２の第２上側片６２ａの前端部及び第３立ち上げ片６２ｂを外側天板部本体７１に対して溶接等によって接続している。また、実施の形態においては、レール軸部６０の設置の安定性を向上できるように、第１上側片６１ａを、当該第１上側片６１ａの取付孔６１ｄ及び後述する第１内側天板部８０の取付孔８１を介して第１取付板３５に対して固定具３４（例えばテクノビス等）によって固定していると共に、第２上側片６２ａを、当該第２上側片６２ａの取付孔６２ｄ及び後述する第２内側天板部９０の取付孔９１を介して第３取付板３７に対して図示しない固定具（例えばテクノビス等）によって固定している。
【００３８】
また、このように構成された外側天板部７０は任意の方法や材質で製造することができ、例えば、外側天板部７０の製造性を高めるために、鋼製の板状体を折り曲げ成形することにより、外側天板部本体７１、第１接続片７２、第２接続片７３、及び第３接続片７４を一体に成形し、この折り曲げ成形の前後のいずれかの時点で、取付孔７１ａ、７５を孔加工し、且つ第１凹部７１ｂ及び第２凹部７１ｃを切欠加工することで製造してもよい。
【００３９】
（構成−固定側縁部保持部−第１内側天板部）
図７、図８に戻り、第１内側天板部８０は、第１レール軸部６１の上方を被覆する上方被覆手段である。図１１に示すように、この第１内側天板部８０は、長尺な略板状体にて形成されており、具体的には、第１内側天板部８０の長手方向（前後方向）の長さが第１レール軸部６１の長手方向（前後方向）の長さよりも短くなるように形成されている。また、第１内側天板部８０は、第１取付板３５と第１レール軸部６１との相互間に配置され、第１レール軸部６１に対して溶接等によって固定されている。また、図７、図１１に示すように、第１内側天板部８０には、第１レール軸部６１を第１取付板３５に対して取り付けるための固定具３９（例えばテクノビス等）を挿通するための取付孔８１（貫通孔）が複数設けられており、これら複数の取付孔８１は第１内側天板部８０における第１レール軸部６１の取付孔６１ｄと対応する部分に形成されている。
【００４０】
（構成−固定側縁部保持部−第２内側天板部）
図７、図８に戻り、第２内側天板部９０は、第２レール軸部６２の上方を被覆する上方被覆手段である。この第２内側天板部９０は、第１内側天板部８０と略同一に構成されており、第３取付板３７と第２レール軸部６２との相互間に配置され、第２レール軸部６２に対して溶接等によって固定されている。また、図７に示すように、第２内側天板部９０には、第２レール軸部６２を第３取付板３７に対して取り付けるための固定具３９（例えばテクノビス等）を挿通するための取付孔９１（貫通孔）が複数設けられており、これら複数の取付孔９１は第２内側天板部９０における第２レール軸部６２の取付孔６２ｄと対応する部分に形成されている。
【００４１】
（構成−固定側縁部保持部−保持本体）
図７、図８に戻り、保持本体１００は、第１シート１０及び第２シート２０を取り付けるためのものであり、図１２に示すように、第１保持本体１０１、第２保持本体１０２、及び底板部１０３を備えている。
【００４２】
（構成−固定側縁部保持部−保持本体−第１保持本体）
第１保持本体１０１は、第１シート１０を取り付けるためのものである。図１２に示すように、この第１保持本体１０１は、長尺な板状体にて形成されており、具体的には、第１保持本体１０１の長手方向（上下方向）の長さ（高さ）が第１シート１０の上下方向の長さ（高さ）と略同一（あるいは、それよりも長い）となり、第１保持本体１０１の短手方向（前後方向）の長さ（幅）が第１レール軸部６１の前後方向の長さ（幅）よりも短くなるように形成されている。また、図７、図８に示すように、この第１保持本体１０１は、当該第１保持本体１０１の長手方向が第１レール軸部６１から下方に向けて張り出すように配置され、第１レール軸部６１に対して溶接等により固定されている。また、図１２に示すように、この第１保持本体１０１には、第１シート１０を第１保持本体１０１に対して取り付けるための固定具１０１ａ（例えばネジ等）を接続するための取付孔１０１ｂ（ネジ孔）が複数設けられており、これら複数の取付孔１０１ｂは相互に間隔を隔てて上下方向に沿って並設配置されている。
【００４３】
（構成−固定側縁部保持部−保持本体−第２保持本体）
第２保持本体１０２は、第２シート２０を取り付けるためのものである。この第２保持本体１０２は、第１保持本体１０１と略同一に構成されており、図７、図８に示すように、当該第２保持本体１０２の長手方向が第２レール軸部６２から下方に向けて張り出すように配置され、第２レール軸部６２に対して溶接等により固定されている。また、図１２に示すように、この第２保持本体１０２には、第２シート２０を第２保持本体１０２に対して取り付けるための固定具１０２ａ（例えばネジ等）を接続するための取付孔１０２ｂ（ネジ孔）が複数設けられており、これら複数の取付孔１０２ｂ（ネジ孔）は相互に間隔を隔てて上下方向に沿って並設配置されている。
【００４４】
（構成−固定側縁部保持部−保持本体−底板部）
底板部１０３は、第１押圧部１１０又は第２押圧部１２０の脱落を防止するためのものであり、略板状体にて形成されており、第２保持本体１０２の下端部から第１保持本体１０１側に向けて張り出すように天井２に対して略水平に配置されている。
【００４５】
また、このように構成された保持本体１００は任意の方法や材質で製造することができ、例えば、保持本体１００の製造性を高めるために、鋼製の板状体を折り曲げ成形することにより、第１保持本体１０１、第２保持本体１０２、及び底板部１０３を一体に成形し、この折り曲げ成形の前後のいずれかの時点で、取付孔１０１ｂ、１０２ｂを孔加工することで製造してもよい。
【００４６】
（構成−固定側縁部保持部−第１押圧部）
図７、図８に戻り、第１押圧部１１０は、第１シート１０に張力を均一に印加できるように、固定側縁部保持部５０によって保持される第１シート１０の縁部を押圧した状態で保持するための押圧手段である。図１３に示すように、この第１押圧部１１０は、長尺な板状体にて形成されており、具体的には、第１押圧部１１０の長手方向（上下方向）の長さ（高さ）が第１保持本体１０１の上下方向の長さ（高さ）よりも短く、第１押圧部１１０の短手方向（前後方向）の長さ（幅）が第１保持本体１０１の前後方向の長さ（幅）よりも短くなるように形成されている。また、図１３に示すように、この第１押圧部１１０は、当該第１押圧部１１０の長手方向が上下方向に沿うように第１保持本体１０１と当接配置されており、後述する取付孔１１１、第１シート１０、及び第１保持本体１０１の取付孔１０１ｂを介して第１保持本体１０１に対して固定具１０１ａ（例えばネジ等）により固定されている。また、図１３に示すように、この第１押圧部１１０には、固定具１０１ａ（例えばネジ等）を挿通するための取付孔１１１（貫通孔）が複数設けられており、これら複数の取付孔１１１は第１押圧部１１０における第１保持本体１０１の取付孔１０１ｂと対応する部分に形成されている。
【００４７】
（構成−固定側縁部保持部−第２押圧部）
図７、図８に戻り、第２押圧部１２０は、第２シート２０に張力を均一に印加できるように、固定側縁部保持部５０によって保持される第２シート２０の縁部を押圧した状態で保持するための押圧手段である。この第２押圧部１２０は、第１押圧部１１０と略同一に構成されており、図７、図８に示すように、この第２押圧部１２０は、当該第２押圧部１２０の長手方向が上下方向に沿うように第２保持本体１０２と当接配置されており、後述する取付孔、第２シート２０、及び第２保持本体１０２の取付孔１０２ｂを介して第２保持本体１０２に対して固定具１０２ａ（例えばネジ等）により固定されている。また、図７、図８に示すように、この第２押圧部１２０には、固定具１０２ａ（例えばネジ等）を挿通するための図示しない取付孔（貫通孔）が複数設けられており、これら複数の取付孔は第２押圧部１２０における第２保持本体１０２の取付孔１０２ｂと対応する部分に形成されている。
【００４８】
以上のような固定側縁部保持部５０の構成により、第１シート１０及び第２シート２０を取り付ける場合に、固定側縁部保持部５０を第１シート１０及び第２シート２０の縁部保持手段として兼用することができる。よって、防煙垂れ壁１の設置作業の手間を省くことができるので、防煙垂れ壁１の設置性を向上させることが可能となる。また、第２シート２０が第１シート１０と直交するように設置される場合に、第２シート２０を固定側縁部保持部５０に容易且つ迅速に取り付けることができるので、防煙垂れ壁１の設置性を一層向上させることができる。
【００４９】
（構成−固定側カバー）
図２に戻り、固定側カバー１３０は、固定側縁部保持部５０を覆う外装手段であり、略中空状体にて形成されており、図１４に示すように、下側片１３１、第１立ち上げ片１３２、第２立ち上げ片１３３、第１切欠部１３４、及び第２切欠部（図示省略）を備えている。
【００５０】
（構成−固定側カバー−下側片）
下側片１３１は、固定側縁部保持部５０の下面を覆う側片であり、図１４に示すように、略矩形形状に形成されており、天井２に対して略水平に配置されている。また、図１４に示すように、この下側片１３１の上面には、第１接続片１３１ａ、第２接続片１３１ｂ、及び第３接続片１３１ｃが設けられている。第１接続片１３１ａ及び第２接続片１３１ｂは、第１立ち上げ片１３２を下側片１３１に接続するための接続手段であり、第３接続片１３１ｃは、第２立ち上げ片１３３を下側片１３１に接続するための接続手段である。これら第１接続片１３１ａ、第２接続片１３１ｂ、及び第３接続片１３１ｃは、略板状体であり、下側片１３１から上方に向けて張り出すように形成されており、具体的には、図１４（ａ）に示すように、第１接続片１３１ａが下側片１３１の左端部に配置され、第２接続片１３１ｂが下側片１３１の後端部に配置され、第３接続片１３１ｃが下側片１３１における右端部及び前端部で形成される角部に配置されている。また、これら第１接続片１３１ａ、第２接続片１３１ｂ、及び第３接続片１３１ｃには、第１立ち上げ片１３２又は第２立ち上げ片１３３を各接続片に対して取り付けるための図示しない固定具（例えばネジ等）を接続するための図示しない取付孔（ネジ孔）が設けられている。
【００５１】
（構成−固定側カバー−第１立ち上げ片）
第１立ち上げ片１３２は、固定側縁部保持部５０の前面の一部、左面全体、後面全体、及び右面の一部を覆う側片である。図１４に示すように、この第１立ち上げ片１３２は、横断面形状が略逆Ｌ字状となるように形成された長尺体であり、第１立ち上げ片１３２の長手方向が上下方向に沿うように配置され、後述する第１取付孔１３２ａ及び第２取付孔（図示省略）並びに第１接続片１３１ａ及び第２接続片１３１ｂの各々の取付孔を介して第１接続片１３１ａ及び第２接続片１３１ｂに対して図示しない固定具（例えばネジ等）によって固定されている。また、図１４（ｂ）に示すように、第１立ち上げ片１３２には、第１取付孔１３２ａ及び第２取付孔（図示省略）が設けられている。第１取付孔１３２ａは、第１立ち上げ片１３２を第１接続片１３１ａ及び第２接続片１３１ｂに対して取り付けるための図示しない固定具（例えばネジ等）を挿通するための貫通孔であり、第１立ち上げ片１３２における第１接続片１３１ａ及び第２接続片１３１ｂの取付孔に対応する部分（図１４では、第１立ち上げ片１３２の下側部分）に形成されている。第２取付孔は、第１立ち上げ片１３２を外側天板部７０に対して取り付けるための図示しない固定具（例えばネジ等）を挿通するための貫通孔であり、第１立ち上げ片１３２における外側天板部７０の第１接続片７２及び第２接続片７３の取付孔７５に対応する部分（図１４では、第１立ち上げ片１３２の上側部分）に形成されている。
【００５２】
（構成−固定側カバー−第２立ち上げ片）
第２立ち上げ片１３３は、固定側縁部保持部５０の前面の他の一部、及び右面の他の一部を覆う側片である（なお、実施の形態では、第１立ち上げ片１３２と第２立ち上げ片１３３との相互間に隙間が形成される程度に、第２立ち上げ片１３３によって固定側縁部保持部５０が覆われることで、当該隙間に第１シート１０を介在させることができる）。図１４に示すように、この第２立ち上げ片１３３は、横断面形状が略逆Ｃ字状となるように形成された長尺体であり、第２立ち上げ片１３３の長手方向が上下方向に沿うように配置され、後述する第１取付孔１３３ａ及び第３接続片１３１ｃの取付孔を介して第３接続片１３１ｃに対して図示しない固定具（例えばネジ等）によって固定されている。また、図１４（ｂ）に示すように、第２立ち上げ片１３３には、第１取付孔１３３ａ及び第２取付孔１３３ｂが設けられている。第１取付孔１３３ａは、第２立ち上げ片１３３を第３接続片１３１ｃに対して取り付けるための図示しない固定具（例えばネジ等）を挿通するための貫通孔であり、第２立ち上げ片１３３における第３接続片１３１ｃの取付孔に対応する部分（具体的には、第２立ち上げ片１３３の下側部分）に形成されている。第２取付孔１３３ｂは、第２立ち上げ片１３３を外側天板部７０に対して取り付けるための図示しない固定具（例えばネジ等）を挿通するための貫通孔であり、第２立ち上げ片１３３における外側天板部７０の第３接続片７４の取付孔に対応する部分（具体的には、第２立ち上げ片１３３の上側部分）に形成されている。
【００５３】
（構成−固定側カバー−第１切欠部、第２切欠部）
第１切欠部１３４は、第１上レール３０を固定側カバー１３０の内部に挿通可能にするためのものであり、固定側カバー１３０の上側部分のうち第１立ち上げ片１３２の前側部分と第２立ち上げ片１３３の前側部分との境界部分に形成されている。第２切欠部は、第２上レール４０を固定側カバー１３０の内部に挿通可能にするためのものであり、固定側カバー１３０の上側部分のうち第１立ち上げ片１３２の右側部分と第２立ち上げ片１３３の右側部分との境界部分に形成されている。
【００５４】
また、固定側カバー１３０を外側天板部７０に対して取り付ける方法については任意であるが、実施の形態では、固定側カバー１３０の第１立ち上げ片１３２及び第２立ち上げ片１３３を、当該第１立ち上げ片１３２及び当該第２立ち上げ片１３３における各種の取付孔及び外側天板部７０の各接続片の取付孔を介して各接続片に対して図示しない固定具（例えばネジ等）によって接続している。
【００５５】
（構成−第１可動側縁部保持部）
図２に戻り、第１可動側縁部保持部１４０は、第１シート１０における垂下方向に対して直交する方向であり当該第１シート１０の面方向（第１主側面方向）に沿う方向（すなわち、前後方向）の一対の縁部の他方を保持する他方側縁部保持手段である。この第１可動側縁部保持部１４０は、例えば、第１シート１０を保持し且つ第１シート１０に印加する張力を調整自在な公知の縁部保持手段等を用いて構成されており、図１５から図１７に示すように、第１可動側壁部４ａの近傍に設置され、レール軸部１４１、外側天板部１４２、内側天板部１４３、固定側保持本体１４４、可動側保持本体１４５、第１シート挟持部１４６、及び第２シート挟持部１４７を備えている。
【００５６】
（構成−第１可動側縁部保持部−レール軸部）
レール軸部１４１は、固定側保持本体１４４を支持するための第１支持手段である。このレール軸部１４１は、固定側縁部保持部５０の第１レール軸部６１と略同様に構成されており、上記対象支持部６ａの軸線に沿うように設けられ、図１６に示すように、第１上側片１４１ａ、第１立ち上げ片１４１ｂ、及び第２立ち上げ片１４１ｃを備えている。また、この第１上側片１４１ａには、第１上側片１４１ａを第２取付板３６に対して取り付けるための固定具１４１ｄ（例えばテクノビス等）を挿通するための図示しない取付孔（貫通孔）が複数設けられている。そして、レール軸部１４１は、後述する固定側保持本体１４４の基礎部１４４ａと後述する突出先端部１４４ｃに挟持された状態で、固定側保持本体１４４に対して溶接されて固定されている。
【００５７】
（構成−第１可動側縁部保持部−外側天板部）
外側天板部１４２は、レール軸部１４１を天井材５の下面に固定するための固定手段であり、図１６に示すように、略矩形状の板状体にて形成されており、レール軸部１４１と第２取付板３６との相互間に配置されており、対象支持部６ａに対して後述する取付孔１４２ｂ及び第２取付板３６を介して図示しない固定具（連結手段。例えばネジ等）によって固定（連結）されている。また、図１６に示すように、外側天板部１４２には、切欠部１４２ａ及び取付孔１４２ｂが設けられている。切欠部１４２ａは、第１上レール３０の設置の際に第１上レール３０が外側天板部１４２に干渉することを防止するためのものである。取付孔１４２ｂは、外側天板部１４２を対象支持部６ａに対して取り付けるための図示しない固定具（例えばネジ等）を挿通するための貫通孔であり、外側天板部１４２における対象支持部６ａと対向する部分に複数形成されている。
【００５８】
また、レール軸部１４１を外側天板部１４２に対して取り付ける方法については任意であるが、実施の形態では、レール軸部１４１の第１上側片１４１ａ及び固定側保持本体１４４の上端に対して溶接等によって接続している。また、実施の形態においては、レール軸部１４１の設置の安定性を向上できるように、第１上側片１４１ａを、当該第１上側片１４１ａの取付孔及び後述する内側天板部１４３の取付孔１４３ａを介して第２取付板３６に対して固定具１４１ｄ（例えばテクノビス等）によって固定している。
【００５９】
（構成−第１可動側縁部保持部−内側天板部）
内側天板部１４３は、レール軸部１４１の上方を被覆する上方被覆手段である。図１６に示すように、この内側天板部１４３は、固定側縁部保持部５０の第１内側天板部８０と略同様に構成されており、第２取付板３６とレール軸部１４１との相互間に配置され、レール軸部１４１に対して溶接等によって固定されている。また、図１６に示すように、内側天板部１４３には、レール軸部１４１を第２取付板３６に対して取り付けるための固定具１４１ｄ（例えばネジ等）を挿通するための取付孔１４３ａ（貫通孔）が複数設けられており、これら複数の取付孔１４３ａは内側天板部１４３におけるレール軸部１４１の取付孔と対応する部分に形成されている。
【００６０】
（構成−第１可動側縁部保持部−固定側保持本体）
固定側保持本体１４４は、第１シート１０を取り付けるための第１保持本体であると共に、第１上レール３０に対して固定された固定側保持手段である。この固定側保持本体１４４は、一枚の板状体を折り曲げて形成されており、図１６、図１７に示すように、基礎部１４４ａ、固定側突出片１４４ｂ、突出先端部１４４ｃ、及び下方支持部１４４ｄを備えている。
【００６１】
基礎部１４４ａは、レール軸部１４１に対して固定されるベースとなる部分であって、第１シート１０に対して平行に（すなわち、Ｙ−Ｚ平面に沿って）配置される部分であり、図１６、図１７に示すように、基礎部１４４ａが外側天板部１４２及び第２立ち上げ片１４１ｃに対して溶接等によって接続されている。
【００６２】
固定側突出片１４４ｂは、固定側保持本体１４４と可動側保持本体１４５との間隔を調整するための部分であり、基礎部１４４ａの前端部に形成されており、天井材５の下面及び第１シート１０の第１主側面に対して直交する方向に突出する（すなわち、基礎部１４４ａの前端部から右方に向けて突出する）部分である。また、図１６、図１７に示すように、固定側突出片１４４ｂには、ボルト挿通孔１４４ｅ及びボルト１４４ｆが設けられている。ボルト挿通孔１４４ｅは、ボルト１４４ｆを挿通するための貫通孔であり、相互に間隔を隔てて上下方向に沿って複数並設配置されている。ボルト１４４ｆは、例えば公知のボルト等により構成されており、各ボルト挿通孔１４４ｅに挿通された状態で、固定側突出片１４４ｂに対して溶接等により接続されていると共に、後述する可動側突出片１４５ｂのボルト挿通孔１４５ｆに挿通されている。このようなボルト１４４ｆにより、この固定側突出片１４４ｂと後述する可動側突出片１４５ｂとの相互間の間隔を、ボルト１４４ｆに螺合されるナット１４４ｈにより調節することにより、固定側保持本体１４４と可動側保持本体１４５との相互間の位置を調整することが可能となる。
【００６３】
突出先端部１４４ｃは、固定側保持本体１４４をレール軸部１４１に固定するための固定手段であり、且つ第１可動側カバー１５０を固定側保持本体１４４に固定するための固定手段であり、図１６、図１７に示すように、固定側突出片１４４ｂから後方に向けて張り出すように配置されており、レール軸部１４１に対して溶接等によって接続されている。このように突出先端部１４４ｃ及び基礎部１４４ａによってレール軸部１４１を挟持することで、固定側保持本体１４４とレール軸部１４１とを相互に安定的に接合することが可能となる。また、図１６、図１７に示すように、突出先端部１４４ｃには、第１可動側カバー１５０を突出先端部１４４ｃに対して固定するための図示しない固定具（例えばネジ等）を接続するための取付孔１４４ｇ（ネジ孔）が複数設けられている。
【００６４】
下方支持部１４４ｄは、可動側保持本体１４５の脱落を防止するためのものであり、基礎部１４４ａの下端部から固定側突出片１４４ｂ側に向けて張り出すように天井２に対して略水平に配置されている。
【００６５】
（構成−第１可動側縁部保持部−可動側保持本体）
図１５に戻り、可動側保持本体１４５は、固定側保持本体１４４よりも第１シート１０に近い位置において、第１シート１０の縁部を保持する可動側保持手段である。この可動側保持本体１４５は、一枚の板状体を折り曲げて形成されており、図１６、図１７に示すように、基礎接続部１４５ａ、可動側突出片１４５ｂ、及びシート伸張部１４５ｃを備えている。
【００６６】
基礎接続部１４５ａは、固定側保持本体１４４に対して可動側保持本体１４５を接続するための部分であり、且つ、第１シート挟持部１４６を取り付ける部分であり、図１６、図１７に示すように、基礎部１４４ａに対して平行に配置されている。また、図１８に示すように、この基礎接続部１４５ａには、貫通孔１４５ｅ及び取付孔１４５ｇが設けられている。貫通孔１４５ｅは、第２シート挟持部１４７を第１シート挟持部１４６に対して固定具１４５ｄ（例えばネジ等）で取り付ける際に、固定具１４５ｄが基礎接続部１４５ａに対して干渉することを回避するための貫通孔であり、相互に間隔を隔てて上下方向に沿って複数並設配置されている。取付孔１４５ｇは、固定側保持本体１４４に対して可動側保持本体１４５を取り付けるための図示しない固定具（例えばネジ等）を接続するためのネジ孔であり、相互に間隔を隔てて上下方向に沿って複数並設配置されている。
【００６７】
可動側突出片１４５ｂは、固定側保持本体１４４と可動側保持本体１４５との間隔を調整するための部分であり、図１６、図１７に示すように、基礎接続部１４５ａの前端部から右方に向けて突出するように形成されている。また、図１７（ｂ）、図１８に示すように、可動側突出片１４５ｂには、ボルト１４４ｆを挿通するためのボルト挿通孔１４５ｆが複数設けられており、これら複数のボルト挿通孔１４５ｆは可動側突出片１４５ｂにおける固定側突出片１４４ｂのボルト挿通孔１４４ｅと対応する部分に形成されている。
【００６８】
シート伸張部１４５ｃは、第１シート１０を張った際に第１シート１０に撓みが生じることを防止するため部分である。このシート伸張部１４５ｃは、横断面形状が円形状である長尺な棒状体にて形成されており、図１７（ｂ）、図１８に示すように、シート伸張部１４５ｃの長手方向が上下方向に沿うように基礎接続部１４５ａの右面と当接するように配置され、基礎接続部１４５ａに対して溶接等によって接続されている。
【００６９】
（構成−第１可動側縁部保持部−第１シート挟持部）
第１シート挟持部１４６は、第１シート１０を挟持するためのシート挟持手段である。この第１シート挟持部１４６は、長尺な板状体にて形成されており、具体的には、シート伸張部１４５ｃの上下方向の長さ（高さ）と略同一の長さとなるように形成されている。また、図１７に示すように、この第１シート挟持部１４６は、可動側突出片１４５ｂとシート伸張部１４５ｃとの相互間において当該第１シート挟持部１４６の長手方向が上下方向に沿うように配置され、基礎接続部１４５ａに対して溶接等によって接続されている。また、図１８に示すように、第１シート挟持部１４６には、当該第１シート挟持部１４６に対して第２シート挟持部１４７を取り付けるための固定具１４５ｄを接続するための取付孔１４６ａが複数設けられており、これら複数の取付孔１４６ａは第１シート挟持部１４６における基礎接続部１４５ａの貫通孔１４５ｅと対応する部分に形成されている。
【００７０】
（構成−第１可動側縁部保持部−第２シート挟持部）
図１６に戻り、第２シート挟持部１４７は、第１シート１０を挟持するためのシート挟持手段である。図１６、図１７に示すように、第２シート挟持部１４７は、第１シート挟持部１４６と略同一に構成されており、第１シート挟持部１４６の右面上において当該第２シート挟持部１４７の長手方向が上下方向に沿うように配置され、第１シート挟持部１４６に対して固定具１４５ｄ（例えばネジ等）によって接続されている。また、図１８に示すように、第２シート挟持部１４７には、当該第２シート挟持部１４７を第１シート挟持部１４６に対して取り付けるための固定具１４５ｄを挿通するための取付孔１４７ａ（貫通孔）が複数設けられており、これら複数の取付孔１４７ａは第２シート挟持部１４７における第１シート挟持部１４６の取付孔１４６ａと対応する部分に形成されている。
【００７１】
これら第１シート挟持部１４６及び第２シート挟持部１４７の構成により、図１８に示すように、第１シート１０の第１主側面の一部をシート伸張部１４５ｃに当接させ、第１シート挟持部１４６と第２シート挟持部１４７との相互間に第１シート１０を挟持した状態で、固定具１４５ｄを、第２シート挟持部１４７の取付孔１４７ａを介して、第１シート挟持部１４６の取付孔１４６ａに螺合することにより、第１シート１０を可動側保持本体１４５に対して固定することができる。
【００７２】
（構成−第１可動側カバー）
図２に戻り、第１可動側カバー１５０は、第１可動側縁部保持部１４０を覆う外装手段である。第１可動側カバー１５０は、例えば、縁部保持手段を覆う公知のカバー部材等を用いて構成されており、図１９に示すように、第１可動側縁部保持部１４０を覆うように設置され、第１カバー１５１、第２カバー１５２、第３カバー１５３、閉塞部材１５４、及び閉塞部材固定部１５５を備えている。
【００７３】
（構成−第１可動側カバー−第１カバー）
第１カバー１５１は、第１可動側カバー１５０の右側部分を構成する部分である。図１９に示すように、第１カバー１５１は、一枚の板状体を折り曲げて形成されており、第１外装部１５１ａ、第２外装部１５１ｂ、及び第３外装部１５１ｃを備えている。
【００７４】
第１外装部１５１ａは、第１可動側縁部保持部１４０の右面を覆う部分であり、図１９に示すようにＹ−Ｚ平面に沿って配置されている。また、図１９（ａ）に示すように、この第１外装部１５１ａには、第１取付孔１５１ｄ及び第２取付孔（図示省略）が設けられている。第１取付孔１５１ｄは、第１カバー１５１を第１可動側縁部保持部１４０の固定側保持本体１４４に対して固定するための図示しない固定具（例えばネジ等）を挿通するための貫通孔であり、第１外装部１５１ａの上側部分及び下側部分にそれぞれ形成されている。第２取付孔は、第３カバー１５３を第１カバー１５１に対して固定するための固定具１５１ｋ（例えばネジ等）を挿通するための貫通孔であり、第１外装部１５１ａの下側部分に複数形成されている。
【００７５】
第２外装部１５１ｂは、第１可動側縁部保持部１４０の後面の一部を覆う部分であり、図１９に示すようにＸ−Ｚ平面に沿って配置されている。また、図１９（ｃ）に示すように、第２外装部１５１ｂの上端には、切欠部１５１ｆが設けられている。さらに、後述するように、第２カバー１５２における切欠部１５１ｆと対応する位置には、切欠部１５２ｄ（図参照）が設けられている。そして、これら切欠部１５１ｆ及び切欠部１５２ｄと外側天板部１４２の切欠部１４２ａとの間に挿通されるように、第１上レール３０が配置されている。このように、第１上レール３０を第１可動側カバー１５０の内部に挿通可能な構成とすることにより、右方側又は左方側から第１上レール３０と第１可動側カバー１５０との隙間が見えないので、意匠性を向上させることができる。
【００７６】
第３外装部１５１ｃは、第１可動側縁部保持部１４０の前面を覆う部分であり、図１９に示すようにＸ−Ｚ平面に沿って配置されている。また、図１９（ｂ）、（ｄ）に示すように、第３外装部１５１ｃには、平面視において凹部１５１ｇが形成されており、この凹部１５１ｇには、閉塞部材固定部１５５を固定するための第１取付孔１５１ｈ（リベット孔）が上下方向に沿って複数設けられている。また、第３外装部１５１ｃにおける凹部１５１ｇ以外の部分には、第２取付孔１５１ｉ及び第３取付孔１５１ｊが設けられている。第２取付孔１５１ｉは、第１カバー１５１と第２カバー１５２とを相互に接続するための固定具１５１ｅ（例えばリベット）を接続するためのリベット孔であり、凹部１５１ｇよりも左方に位置する部分において上下方向に沿って複数形成されている。第３取付孔１５１ｊは、第１可動側カバー１５０が上下方向に沿って配置されるように位置を調整するための図示しない固定具（例えば、ドリルビス等）を挿通するための貫通孔であり、第３外装部１５１ｃの下側部分に形成されている。
【００７７】
（構成−第１可動側カバー−第２カバー）
第２カバー１５２は、第１可動側カバー１５０の左側部分を構成する部分である。図１９に示すように、第２カバー１５２は、一枚の板状体を折り曲げて形成されており、第１外装部１５２ａ、第２外装部１５２ｂ、及びカバー接続部１５２ｃを備えている。
【００７８】
第１外装部１５２ａは、第１可動側縁部保持部１４０の左面を覆う部分であり、図１９に示すようにＹ−Ｚ平面に沿って配置されている。また、この第１外装部１５２ａの下端部には、第３カバー１５３を第２カバー１５２に対して固定するための固定具１５２ｅ（例えばネジ等）を挿通するための図示しない取付孔（貫通孔）が複数設けられている。
【００７９】
第２外装部１５２ｂは、第１可動側縁部保持部１４０の後面の他の一部を覆う部分であり、図１９に示すように、Ｘ−Ｚ平面に沿って配置されている（なお、実施の形態では、第１カバー１５１の第２外装部１５１ｂと第２外装部１５２ｂとの相互間に隙間が形成される程度に、第２外装部１５２ｂによって第１可動側縁部保持部１４０が覆われることで、当該隙間に第１シート１０を介在させることができる）。また、図１９（ｃ）に示すように、第２外装部１５２ｂの上端には、上述したように、第１カバー１５１に形成された切欠部１５１ｆと合わさって第１上レール３０を挟み込み、防煙垂れ壁１の意匠性を向上させるための切欠部１５２ｄが設けられている。
【００８０】
カバー接続部１５２ｃは、第１カバー１５１と第２カバー１５２とを相互に接続するための部分であり、図１９に示すように、Ｘ−Ｚ平面に沿って配置されている。また、このカバー接続部１５２ｃには、第１カバー１５１と第２カバー１５２とを相互に接続するための固定具１５１ｅ（例えばリベット等）を挿通するための図示しない取付孔（貫通孔）が複数設けられており、これら複数の取付孔がカバー接続部１５２ｃにおける第３外装部１５１ｃの第２取付孔１５１ｉと対応する部分に形成されている。
【００８１】
（構成−第１可動側カバー−第３カバー）
第３カバー１５３は、第１可動側カバー１５０の下側部分を構成する部分である。図１９に示すように、第３カバー１５３は、略矩形状の板状体にて形成されており、爪部１５３ａ及び外装部１５３ｂを備えている。
【００８２】
爪部１５３ａは、第３カバー１５３を第１カバー１５１及び第２カバー１５２の各々と接続するための部分である。図１９（ｃ）に示すように、この爪部１５３ａは、前後方向に直交する断面による断面形状が略Ｕ字状である板状体にて形成されており、第１カバー１５１と第２カバー１５２との相互間に嵌め込まれており、後述する第１取付孔及び第１カバー１５１における第１外装部１５１ａの第２取付孔を介して第１カバー１５１に対して固定具１５１ｋ（例えばネジ等）によって固定されていると共に、後述する第２取付孔及び第２カバー１５２における第１外装部１５２ａの取付孔を介して第２カバー１５２に対して固定具１５２ｅ（例えばネジ等）によって固定されている。また、この爪部１５３ａには、第１取付孔、第２取付孔、及び第３取付孔が設けられている（いずれも図示省略）。第１取付孔は、第１カバー１５１を第３カバー１５３に対して取り付けるための固定具１５１ｋを接続するためのネジ孔であり、爪部１５３ａの右側縦板部分に複数形成されている。第２取付孔は、第２カバー１５２を第３カバー１５３に対して取り付けるための固定具１５２ｅを接続するためのネジ孔であり、爪部１５３ａの左側縦板部分に複数形成されている。第３取付孔は、爪部１５３ａと外装部１５３ｂとを相互に接続するための固定具１５３ｄ（例えばリベット等）を挿通するための貫通孔であり、爪部１５３ａの下側横板部分に複数形成されている。
【００８３】
外装部１５３ｂは、第１可動側縁部保持部１４０の下面を覆う部分であり、図１９に示すようにＸ−Ｙ平面に沿って配置されている。この外装部１５３ｂは、略矩形形状の板状体に形成されており、爪部１５３ａの下方に配置され、後述する取付孔１５３ｃ及び爪部１５３ａの第３取付孔を介して爪部１５３ａに対して固定具１５３ｄによって接続されている。また、図１９（ｅ）に示すように、外装部１５３ｂには、爪部１５３ａと外装部１５３ｂとを相互に接続するための固定具１５３ｄを接続するための取付孔１５３ｃ（リベット孔）が複数形成されており、これら複数の取付孔１５３ｃは外装部１５３ｂにおける爪部１５３ａの第３取付孔と対応する部分に形成されている。
【００８４】
（構成−第１可動側カバー−閉塞部材）
閉塞部材１５４は、第１可動側縁部保持部１４０と第１可動側壁部４ａとの相互間の隙間を塞ぐための閉塞手段である。この閉塞部材１５４は、例えば、第１可動側縁部保持部１４０の上下方向の長さ（高さ）と略同一の長さを有する矩形状の弾性部材（一例として、不燃性材料製の弾性部材等）を用いて構成されており、図１９（ｄ）に示すように、第１カバー１５１の第３外装部１５１ｃの凹部１５１ｇと、閉塞部材固定部１５５との相互間に配置されており、後述する閉塞部材固定部１５５の取付孔及び第１カバー１５１の凹部１５１ｇの第１取付孔１５１ｈを介して閉塞部材１５４を第１カバー１５１に対して固定具１５４ａ（例えばリベット等）によって固定されている。
【００８５】
（構成−第１可動側カバー−閉塞部材固定部）
閉塞部材固定部１５５は、閉塞部材１５４を第１カバー１５１に対して固定するための閉塞部材固定手段である。図１９（ｄ）に示すように、この閉塞部材固定部１５５は、第１カバー１５１の第３外装部１５１ｃの凹部１５１ｇと略同一の高さ及び前後長さを有する一枚の矩形状の板状体にて形成されており、閉塞部材１５４よりも前方に設置されている。また、閉塞部材固定部１５５には、閉塞部材１５４を第１カバー１５１に対して取り付けるための固定具１５４ａを挿通するための図示しない取付孔（貫通孔）が複数形成されており、これら複数の取付孔は閉塞部材固定部１５５における第１カバー１５１の凹部１５１ｇの第１取付孔と対応する部分に形成されている。
【００８６】
また、第１可動側カバー１５０を第１可動側縁部保持部１４０に対して取り付ける方法については任意であるが、実施の形態では、第１外装部１５１ａの第１取付孔１５１ｄ及び第１可動側縁部保持部１４０の突出先端部１４４ｃの取付孔１４４ｇを介して図示しない固定具（例えばネジ等）を挿通してネジ止めすることにより、第１可動側カバー１５０を第１可動側縁部保持部１４０に対して接続している。
【００８７】
（構成−第２可動側縁部保持部）
図１、３に戻り、第２可動側縁部保持部１６０は、第２シート２０における垂下方向に対して直交する方向であり当該第２シート２０の面方向（第２主側面方向）に沿う方向（すなわち、左右方向）の一対の縁部の他方を保持する他方側縁部保持手段であり、図１、３に示すように、第２可動側壁部４ｂの近傍に設置されている。なお、この第２可動側縁部保持部１６０は、第１可動側縁部保持部１４０と略同一に構成されているので、その詳細な説明を省略する。
【００８８】
（構成−第２可動側カバー）
第２可動側カバー１７０は、第２可動側縁部保持部１６０を覆う外装手段であり、図１、３に示すように、第２可動側縁部保持部１６０を覆うように設置されている。なお、この第２可動側カバー１７０は、第１可動側カバー１５０と略同一に構成されているので、その詳細な説明を省略する。
【００８９】
以上のような防煙垂れ壁１の構成により、天井２に複数の支持部６が並設されている場合において、固定側縁部保持部５０及び第１可動側縁部保持部１４０の各々を対象支持部６ａと連結させることができるので、固定側縁部保持部５０及び第１可動側縁部保持部１４０を天井２に対して強固に固定することができる。これにより、固定側縁部保持部５０及び第１可動側縁部保持部１４０の揺れを抑制できることから、防煙垂れ壁１を安定して設置することが可能となる。
【００９０】
（設置方法）
続いて、このように構成された防煙垂れ壁１の設置方法について説明する。
【００９１】
まず、第１取付板３５及び第２取付板３６を天井２の対象支持部６ａに対して固定具３９（例えばボードアンカー、皿ネジ等）によって固定する。また、第３取付板３７を天井２の対象支持部６ａを含む複数の支持部６（以下、「複数の支持部６」と称する）に対して図示しない固定具（例えばボードアンカー、皿ネジ等）によって固定する。また、第４取付板３８を複数の支持部６（ただし、対象支持部６ａを除く）に対して図示しない固定具（例えばボードアンカー、皿ネジ等）によって固定する。次いで、第１上レール３０の第２レール部３２を対象支持部６ａに対して固定具３４（例えばネジ等）によって固定すると共に、第２上レール４０の第２レール部４２を複数の支持部６に対して図示しない固定具（例えばネジ等）によって固定する。
【００９２】
次に、固定側部分２ａにおいて、予め工場等で組み立てられた固定側縁部保持部５０（第１押圧部１１０及び第２押圧部１２０を除く）を対象支持部６ａ、第１取付板３５、及び第３取付板３７に対して固定具３４（例えばテクノビス等）によって固定する。また、第１可動側壁部４ａの近傍において、予め工場等で組み立てられた第１可動側縁部保持部１４０（第２シート挟持部１４７を除く）を対象支持部６ａ及び第２取付板３６に対して固定具１４１ｄ（例えばテクノビス等）によって固定する。また、第２可動側壁部４ｂの近傍において、予め工場等で組み立てられた第２可動側縁部保持部１６０（第２シート挟持部を除く）を対象支持部６ａ及び第４取付板３８に対して図示しない固定具（例えばテクノビス等）によって固定する。
【００９３】
次いで、固定側縁部保持部５０、第１可動側縁部保持部１４０、及び第１上レール３０に対して第１シート１０を仮固定する。具体的には、まず、第１シート１０の後端部を、固定側縁部保持部５０の第１保持本体１０１に対して両面テープで固定する。次に、第１シート１０を前後方向に沿って前方へと広げながら、第１シート１０の上端部を第２レールの第２突出片３２ｂに対して両面テープで固定する。そして、第１シート１０の前端部を、第１可動側縁部保持部１４０の第１シート挟持部１４６に対して両面テープで固定する。なお、上記仮固定の手順は前後逆方向から実施してもよい。また、上記第１シート１０の仮固定と同様に、固定側縁部保持部５０、第２可動側縁部保持部１６０、及び第２上レール４０に対して第２シート２０を仮固定する。
【００９４】
次に、固定側縁部保持部５０の第１保持本体１０１及び第１押圧部１１０により第１シート１０の後端部を挟み込むようにして、当該第１押圧部１１０を第１保持本体１０１に対して固定具１０１ａ（例えばネジ等）によって固定すると共に、第１可動側縁部保持部１４０の第１シート挟持部１４６及び第２シート挟持部１４７により第１シート１０の前端部を挟み込むようにして、第２シート挟持部１４７を第１シート挟持部１４６に対して固定具（例えばネジ等）によって固定する。また、固定側縁部保持部５０の第２保持本体１０２及び第２押圧部１２０により第２シート２０の左端部を挟み込むようにして、第２押圧部１２０を第２保持本体１０２に対して固定具１０２ａ（例えばネジ等）によって固定すると共に、第２可動側縁部保持部１６０の第１シート挟持部及び第２シート挟持部により第２シート２０の右端部を挟み込むようにして、第２シート挟持部を第１シート挟持部に対して図示しない固定具（例えばネジ等）によって固定する。
【００９５】
次いで、第１可動側縁部保持部１４０の可動側保持本体１４５を前後方向の外側に引っ張ることにより、第１シート１０に張力を付加し、その後可動側保持本体１４５を第１可動側縁部保持部１４０の固定側保持本体１４４に対して図示しない固定具（例えばネジ等）によって固定する。ここで、第１シート１０の張力の付加の詳細については、固定側保持本体１４４の固定側突出片１４４ｂに接続されたボルト１４４ｆの頭部に対するナット１４４ｈの位置を変動させることで、固定側突出片１４４ｂと可動側保持本体１４５の可動側突出片１４５ｂとの相互間の間隔を狭めることにより、第１シート１０に張力を付加する（なお、第２シート２０の張力の付加についても同様とする）。また、第２可動側縁部保持部１６０の可動側保持本体を左右方向の外側に引っ張ることにより、第２シート２０に張力を付加し、その後可動側保持本体を第２可動側縁部保持部１６０の固定側保持本体に対して図示しない固定具（例えばネジ等）によって固定する。
【００９６】
次に、第１シート１０の上端部を第１上レール３０の第２レール部３２に対して図示しない固定具（例えばネジ等）によって固定した後、第１上レール３０の第１レール部３１を第２レール部３２に対して図示しない固定具（例えばネジ等）によって固定する。また、第２シート２０の上端部を第２上レール４０の第２レール部４２に対して図示しない固定具（例えばネジ等）によって固定した後、第２上レール４０の第１レール部４１を第２レール部４２に対して図示しない固定具（例えばネジ等）によって固定する。
【００９７】
次いで、固定側カバー１３０を固定側縁部保持部５０に対して図示しない固定具（例えばネジ等）によって取り付ける。
【００９８】
続いて、予め工場等で組み立てられた第１可動側カバー１５０（第３カバー１５３を除く）を第１可動側縁部保持部１４０に対して図示しない固定具（例えばネジ等）によって取り付けて、図示しない固定具（例えばドリルビス等）によって第１可動側カバー１５０の傾きを調整した後、第１可動側縁部保持部１４０の第３カバー１５３を第１カバー１５１及び第２カバー１５２に対して固定具１５１ｋ、１５２ｅ（例えばネジ等）によって取り付ける。また、予め工場等で組み立てられた第２可動側カバー１７０（第３カバーを除く）を第２可動側縁部保持部１６０に対して図示しない固定具（例えばネジ等）によって取り付けて、図示しない固定具（例えばドリルビス等）によって第２可動側カバー１７０の傾きを調整した後、第２可動側縁部保持部１６０の第３カバーを第１カバー及び第２カバーに対して図示しない固定具（例えばネジ等）によって取り付ける。これにて、防煙垂れ壁１の設置が終了する。
【００９９】
（実施の形態の効果）
このように実施の形態によれば、第１シート１０及び第１上レール３０を対象支持部６ａに略沿って平面視において重なる位置に配置し、固定側縁部保持部５０の外側天板部７０を対象支持部６ａの下方に配置すると共に、当該外側天板部７０を固定側縁部保持部５０の固定具を介して対象支持部６ａと連結させ、第１可動側縁部保持部１４０の外側天板部１４２を対象支持部６ａの下方に配置すると共に、当該外側天板部１４２を第１可動側縁部保持部１４０の固定具を介して対象支持部６ａと連結させたので、天井２に複数の支持部が並設されている場合において、固定側縁部保持部５０及び第１可動側縁部保持部１４０の各々を対象支持部６ａと連結させることができるので、固定側縁部保持部５０及び第１可動側縁部保持部１４０を天井２に対して強固に固定することができる。これにより、固定側縁部保持部５０及び第１可動側縁部保持部１４０の揺れを抑制できることから、防煙垂れ壁１を安定して設置することが可能となる。
【０１００】
また、固定側縁部保持部５０は、第２シート２０を取り付けるための第２保持本体１０２と、当該固定側縁部保持部５０の外側天板部７０に取り付けられた第２レール軸部６２であって、第２保持本体１０２を支持するための第２レール軸部６２と、を備えたので、第１シート１０及び第２シート２０を取り付ける場合に、固定側縁部保持部５０を第１シート１０及び第２シート２０の縁部保持手段として兼用することができる。よって、防煙垂れ壁１の設置作業の手間を省くことができるので、防煙垂れ壁１の設置性を向上させることが可能となる。
【０１０１】
また、第２シート２０を対象支持部６ａの軸線に直交する水平線に略沿うように設け、第２レール軸部６２を水平線に沿うように配置したので、また、第２シート２０が第１シート１０と直交するように設置される場合に、第２保持本体１０２及び第２レール軸部６２を備える固定側縁部保持部５０に第２シート２０を容易且つ迅速に取り付けることができ、防煙垂れ壁１の設置性を一層向上させることができる。
【０１０２】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る防煙垂れ壁１の設置性が従来と同程度であっても、従来と異なる構造により従来と同程度の設置性を確保できている場合には、本願の課題は解決している。
【０１０４】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０５】
（天井について）
上記実施の形態においては、支持部６が天井材５の上面上に設けられていると説明したが、これに限られず、例えば、天井材５の下面上に設けられてもよい。
【０１０６】
（防煙垂れ壁について）
上記実施の形態においては、天井材５の下面に対して防煙垂れ壁１を直接固定していると説明したが、これに限られず、例えば、天井材５の下面に対して防煙垂れ壁１を間接的に固定してもよく、一例として、ガラス保持具を介して天井材５の下面に対して防煙垂れ壁１を固定してもよい。
【０１０７】
また、上記実施の形態においては、防煙垂れ壁１は、固定側カバー１３０、第１可動側カバー１５０、及び第２可動側カバー１７０を備えていると説明したが、これに限られず、例えば、設置コストを低減するために、固定側カバー１３０、第１可動側カバー１５０、及び第２可動側カバー１７０の少なくともいずれか一方を省略してもよい。また、上記実施の形態においては、防煙垂れ壁１は、第２シート２０、第２上レール４０、第１可動側縁部保持部１４０、第１可動側カバー１５０、第２可動側縁部保持部１６０、及び第２可動側カバー１７０を備えていると説明したが、これに限られず、例えば、第２シート２０、第２上レール４０、第１可動側縁部保持部１４０、第１可動側カバー１５０、第２可動側縁部保持部１６０、及び第２可動側カバー１７０を省略してもよい。
【０１０８】
（第１シート、第２シートについて）
上記実施の形態においては、第１シート１０の長手方向が前後方向に沿うように配置されているものとして説明したが、これに限定されず、例えば第１シート１０の長手方向が上下方向に沿うように配置されてもよい（なお、第２シート２０についても同様とする）。
【０１０９】
（固定側縁部保持部について）
上記実施の形態においては、固定側縁部保持部５０は、単に第１シート１０を保持するものであると説明したが、これに限られず、例えば、第１可動側縁部保持部１４０と同様に、第１シート１０を保持し且つ第１シート１０に印加する張力を調整自在なものであってもよい。
【０１１０】
また、上記実施の形態においては、固定側縁部保持部５０の外側天板部７０は、対象支持部６ａに対して固定されていると説明したが、これに限られず、例えば、第１上レール３０に固定されてもよい（なお、第１可動側縁部保持部１４０及び第２可動側縁部保持部１６０の外側天板部についても同様とする）。
【０１１１】
また、上記実施の形態においては、固定側縁部保持部５０の第２レール軸部６２が、対象支持部６ａの軸線に直交する水平線に沿うように配置されていると説明したが、これに限られない。例えば、第２シート２０が対象支持部６ａの軸線に対して９０度以外の角度（例えば、４５度等）で傾けて設けられている場合には、当該角度で傾けて配置されてもよい。
【０１１２】
また、上記実施の形態においては、固定側縁部保持部５０は、１組の第２レール軸部６２及び第２押圧部１２０を備えていると説明したが、これに限られない。例えば、第１シート１０に隣接する第２シート２０が複数設置される場合には、複数組の第２レール軸部６２及び第２押圧部１２０を備えてもよい。また、上記実施の形態においては、第２レール軸部６２及び第２押圧部１２０が固定側縁部保持部５０のみに設けられていると説明したが、これに限られない。例えば、第２シート２０に隣接するシート（第１シート１０とは異なるシート）が設置される場合には、第２可動側縁部保持部１６０に設けられてもよい。
【０１１３】
（第１可動側縁部保持部、第２可動側縁部保持部について）
上記実施の形態においては、第１可動側縁部保持部１４０は、第１シート１０を保持し且つ第１シート１０に印加する張力を調整自在な機能を有するものであると説明したが、これに限られず、例えば、単に第１シート１０を保持するものであってもよい（なお、第２可動側縁部保持部１６０についても同様とする）。
【０１１４】
また、上記実施の形態においては、第１可動側縁部保持部１４０は、閉塞部材１５４及び閉塞部材固定部１５５を備えていると説明したが、これに限られない。例えば、閉塞部材１５４及び閉塞部材固定部１５５に代えて、第１可動側縁部保持部１４０と第１可動側壁部４ａとの相互間の隙間をパテやコーキング等で埋めてもよい。
【０１１５】
（付記）
付記１の防煙垂れ壁は、天井の下方に防煙区画を形成するための防煙垂れ壁であって、前記防煙区画を形成する第１シートであり、前記天井の下面に対して垂下するように設けられた第１シートと、前記第１シートの上縁部を保持する上縁保持手段であり、前記天井の下面に固定された上縁保持手段と、前記第１シートにおける垂下方向に対して直交する方向であり当該第１シートの面方向に沿う方向の一対の縁部の一方を保持する一方側縁部保持手段と、前記第１シートにおける垂下方向に対して直交する方向であり当該第１シートの面方向に沿う方向の一対の縁部の他方を保持する他方側縁部保持手段と、を備え、前記一方側縁部保持手段及び前記他方側縁部保持手段の各々は、前記第１シートを取り付けるための第１保持本体と、前記第１保持本体を支持するための第１支持手段と、前記第１支持手段を前記天井の下面に固定するための固定手段と、前記固定手段と前記天井又は前記上縁保持手段とを連結するための連結手段と、を備え、前記第１シート及び前記上縁保持手段を、前記天井を構成する水平面材を支持するための長尺状の複数の支持部であり、前記水平面材に固定され、且つ前記水平面材に沿って相互に間隔を隔てて並設された複数の支持部のうち、支持対象とすべき対象支持部に略沿って平面視において重なる位置に配置し、前記一方側縁部保持手段の前記固定手段を前記対象支持部の下方に配置すると共に、当該固定手段を前記一方側縁部保持手段の前記連結手段を介して前記対象支持部と連結させ、前記他方側縁部保持手段の前記固定手段を前記対象支持部の下方に配置すると共に、当該固定手段を前記他方側縁部保持手段の前記連結手段を介して前記対象支持部と連結させた。
【０１１６】
また、付記２の防煙垂れ壁は、付記１に記載の防煙垂れ壁において、前記一方側縁部保持手段又は前記他方側縁部保持手段は、前記防煙区画を形成する第２シートであり、前記天井の下面に対して垂下するように設けられ、且つ前記第１シートに隣接する第２シートを取り付けるための第２保持本体と、当該一方側縁部保持手段の前記固定手段又は当該他方側縁部保持手段の前記固定手段に取り付けられた第２支持手段であって、前記第２保持本体を支持するための第２支持手段と、を備えた。
【０１１７】
また、付記３の防煙垂れ壁は、付記２に記載の防煙垂れ壁において、前記第２シートを前記対象支持部の軸線に直交する水平線に略沿うように設け、前記第２支持手段を前記水平線に沿うように配置した。
【０１１８】
（付記の効果）
付記１に記載の防煙垂れ壁によれば、第１シート及び上縁保持手段を対象支持部に略沿って平面視において重なる位置に配置し、一方側縁部保持手段の固定手段を対象支持部の下方に配置すると共に、当該固定手段を一方側縁部保持手段の連結手段を介して対象支持部と連結させ、他方側縁部保持手段の固定手段を対象支持部の下方に配置すると共に、当該固定手段を他方側縁部保持手段の連結手段を介して対象支持部と連結させたので、天井に複数の支持部が並設されている場合において、一方側縁部保持手段及び他方側縁部保持手段の各々を対象支持部と連結させることができるので、一方側縁部保持手段及び他方側縁部保持手段を天井に対して強固に固定することができる。これにより、一方側縁部保持手段及び他方側縁部保持手段の揺れを抑制できることから、防煙垂れ壁を安定して設置することが可能となる。
【０１１９】
また、付記２に記載の防煙垂れ壁によれば、一方側縁部保持手段又は他方側縁部保持手段は、第２シートを取り付けるための第２保持本体と、当該一方側縁部保持手段の固定手段又は当該他方側縁部保持手段の固定手段に取り付けられた第２支持手段であって、第２保持本体を支持するための第２支持手段と、を備えたので、第１シート及び第２シートを取り付ける場合に、一方側縁部保持手段又は他方側縁部保持手段を第１シート及び第２シートの縁部保持手段として兼用することができる。よって、防煙垂れ壁の設置作業の手間を省くことができるので、防煙垂れ壁の設置性を向上させることが可能となる。
【０１２０】
また、付記３に記載の防煙垂れ壁によれば、第２シートを対象支持部の軸線に直交する水平線に略沿うように設け、第２支持手段を水平線に沿うように配置したので、また、第２シートが第１シートと直交するように設置される場合に、第２保持本体及び第２支持手段を備える一方側縁部保持手段又は他方側縁部保持手段に第２シートを容易且つ迅速に取り付けることができ、防煙垂れ壁の設置性を一層向上させることができる。
【符号の説明】
【０１２１】
１  防煙垂れ壁
２  天井
２ａ  固定側部分
３  床
４  壁部
４ａ  第１可動側壁部
４ｂ  第２可動側壁部
５  天井材
６  支持部
６ａ  対象支持部
１０  第１シート
２０  第２シート
３０  第１上レール
３１  第１レール部
３２  第２レール部
３２ａ  第１突出片
３２ｂ  第２突出片
３３  固定具
３４  固定具
３５  第１取付板
３６  第２取付板
３７  第３取付板
３８  第４取付板
３９  固定具
４０  第２上レール
４１  第１レール部
４２  第２レール部
５０  固定側縁部保持部
６０  レール軸部
６１  第１レール軸部
６１ａ  第１上側片
６１ｂ  第１立ち上げ片
６１ｃ  第２立ち上げ片
６１ｄ  取付孔
６２  第２レール軸部
６２ａ  第２上側片
６２ｂ  第３立ち上げ片
６２ｃ  第４立ち上げ片
６２ｄ  取付孔
６３  切欠部
７０  外側天板部
７１  外側天板部本体
７１ａ  取付孔
７１ｂ  第１凹部
７１ｃ  第２凹部
７１ｄ  固定具
７２  第１接続片
７３  第２接続片
７４  第３接続片
７５  取付孔
８０  第１内側天板部
８１  取付孔
９０  第２内側天板部
９１  取付孔
１００  保持本体
１０１  第１保持本体
１０１ａ  固定具
１０１ｂ  取付孔
１０２  第２保持本体
１０２ａ  固定具
１０２ｂ  取付孔
１０３  底板部
１１０  第１押圧部
１１１  取付孔
１２０  第２押圧部
１３０  固定側カバー
１３１  下側片
１３１ａ  第１接続片
１３１ｂ  第２接続片
１３１ｃ  第３接続片
１３２  第１立ち上げ片
１３２ａ  第１取付孔
１３３  第２立ち上げ片
１３３ａ  第１取付孔
１３３ｂ  第２取付孔
１３４  第１切欠部
１４０  第１可動側縁部保持部
１４１  レール軸部
１４１ａ  第１上側片
１４１ｂ  第１立ち上げ片
１４１ｃ  第２立ち上げ片
１４１ｄ  固定具
１４２  外側天板部
１４２ａ  切欠部
１４２ｂ  取付孔
１４３  内側天板部
１４３ａ  取付孔
１４４  固定側保持本体
１４４ａ  基礎部
１４４ｂ  固定側突出片
１４４ｃ  突出先端部
１４４ｄ  下方支持部
１４４ｅ  ボルト挿通孔
１４４ｆ  ボルト
１４４ｇ  取付孔
１４４ｈ  ナット
１４５  可動側保持本体
１４５ａ  基礎接続部
１４５ｂ  可動側突出片
１４５ｃ  シート伸張部
１４５ｄ  固定具
１４５ｅ  貫通孔
１４５ｆ  ボルト挿通孔
１４５ｇ  取付孔
１４６  第１シート挟持部
１４６ａ  取付孔
１４７  第２シート挟持部
１４７ａ  取付孔
１５０  第１可動側カバー
１５１  第１カバー
１５１ａ  第１外装部
１５１ｂ  第２外装部
１５１ｃ  第３外装部
１５１ｄ  第１取付孔
１５１ｅ  固定具
１５１ｆ  切欠部
１５１ｇ  凹部
１５１ｈ  第１取付孔
１５１ｉ  第２取付孔
１５１ｊ  第３取付孔
１５１ｋ  固定具
１５２  第２カバー
１５２ａ  第１外装部
１５２ｂ  第２外装部
１５２ｃ  カバー接続部
１５２ｄ  切欠部
１５２ｅ  固定具
１５３  第３カバー
１５３ａ  爪部
１５３ｂ  外装部
１５３ｃ  取付孔
１５３ｄ  固定具
１５４  閉塞部材
１５４ａ  固定具
１５５  閉塞部材固定部
１６０  第２可動側縁部保持部
１７０  第２可動側カバー
【図１】
2018011803.tif 000003
【図２】
2018011803.tif 000004
【図３】
2018011803.tif 000005
【図４】
2018011803.tif 000006
【図５】
2018011803.tif 000007
【図６】
2018011803.tif 000008
【図７】
2018011803.tif 000009
【図８】
2018011803.tif 000010
【図９】
2018011803.tif 000011
【図１０】
2018011803.tif 000012
【図１１】
2018011803.tif 000013
【図１２】
2018011803.tif 000014
【図１３】
2018011803.tif 000015
【図１４】
2018011803.tif 000016
【図１５】
2018011803.tif 000017
【図１６】
2018011803.tif 000018
【図１７】
2018011803.tif 000019
【図１８】
2018011803.tif 000020
【図１９】
2018011803.tif 000021